(57)【要約】【課題】  被計量物品の風袋への供給停止の適切なタイミングを視覚的に作業員に知らせる。【解決手段】  載台２に手動で順次載荷された流動物の重量を表す計量信号を重量センサ６が生成する。制御部１６は、前記計量信号が予め定めた下限重量ｗＬを超えたとき、青色のＬＥＤ２２を点灯させ、前記計量信号が下限重量ｗＬよりも小さく定めた少なくとも１つの切換重量ｗ１を超える前後で、赤色のＬＥＤ２４を点滅から点灯に変化させて表示させる制御部１６は、下限重量ｗＬ及び切換重量ｗ１との間に、下限重量ｗＬとの差が切換重量ｗ１との差よりも小さく定めた停止重量ｗ２を、前記計量信号が超えたとき、緑色のＬＥＤ２６を点灯させる。【選択図】  図１
2018155532.tif 000002
【特許請求の範囲】
【請求項１】
載荷される被計量物品が手動で順次増加させられる載台と、
前記載台に載荷された前記被計量物品の重量を表す計量信号を生成する計量手段と、
少なくとも２つの異なる色のうち１つの色を表示可能な色表示手段と、
前記計量信号が前記目標重量よりも小さく定めた少なくとも１つの切換重量を超えると、前記色表示手段を第１の色で点灯または点滅させる制御手段とを、
有し、前記制御手段は、前記目標重量及び前記切換重量との間に前記目標重量との差が前記切換重量との差よりも小さく定めた停止重量を前記計量信号が超えたとき、前記色表示手段を第２の色で点灯または点滅で表示させる
計量器。
【請求項２】
請求項１記載の計量器において、前記載台の上方に配置され、前記載台への前記被計量物品の載荷を前記載台上の風袋への被充填物品の充填として作業者の操作によって行う複数の充填手段を有し、前記複数の充填手段は、それぞれの充填量が異なり、
前記色表示手段は、前記第１の色の表示によって、前記充填量が少なくなるように前記複数の充填手段の操作を指示し、前記第２の色の点灯または点滅によって、前記複数の充填手段の停止を指示する計量器。
【請求項３】
請求項２記載の計量器において、前記作業者の前記複数の充填手段全ての停止のタイミングの習性に応じて、前記停止重量を修正する修正手段を有する計量器。
【請求項４】
載台の上方に配置され、充填量がそれぞれ異なる複数の充填手段から計量器の載台上の風袋に手動操作によって充填される被計量物品の重量を前記計量器の計量手段によって計量し、前記計量信号が前記目標重量よりも小さく定めた少なくとも１つの切換重量を超えると、前記色表示手段が第１の色で点灯または点滅するのに従って、前記複数の充填手段からの充填量を順次少なくする段階と、
前記目標重量及び前記切換重量との間に前記目標重量との差が前記切換重量との差よりも小さく定めた停止重量を前記計量信号が超えたとき、前記色表示手段の第２の色での点灯または点滅に従って前記複数の充填手段を停止させる段階とを、
有する充填計量方法。
【発明の詳細な説明】
【技術分野】
【０００１】
本発明は、計量器及び台秤を使用した充填計量方法に関する。
【背景技術】
【０００２】
計量器には、例えば作業員が一定量の被計量物品を袋や容器等の風袋に詰める作業に使用されるものがあり、その一例が特許文献１に開示されている。特許文献１の計量器では、計量皿上に複数個のジャガイモのような個体が被計量物品として載荷されて、その重量が予め定めた下限値未満の場合には、被計量物品が軽量であると判定されて、多色ＬＥＤが赤色に点灯され、被計量物品の重量が予め定めた上限値よりも大きい場合には、過量であると判定されて多色ＬＥＤが黄色に点灯され、被計量物品の重量が下限値以上で上限値以下の場合には、適量であると判定されて多色ＬＥＤが青色に点灯される。
【先行技術文献】
【特許文献】
【０００３】
【特許文献１】特開２０１５−１７５６２４号公報
【発明の概要】
【発明が解決しようとする課題】
【０００４】
特許文献１の計量器を利用して、計量皿上に供給する被計量物品を順次増加させて予め定めた重量に被計量物品を測り取ることがある。例えば粉体または粒体のような粉粒体を被計量物品として計量皿上の容器や袋のような風袋に連続的に一定の供給量で供給して、予め定めた重量の粉粒体が風袋に収容されると、粉粒体の供給を停止することが考えられる。この場合、予め定めた重量として上記の下限値を使用し、作業員は、多色ＬＥＤの表示が赤色の場合には粉粒体の供給を継続し、多色ＬＥＤの表示が青色になると粉粒体の供給を停止する。しかし、多色ＬＥＤが赤色から青色に変化した時点で供給を停止しても、その瞬間に風袋に向かって落下している粉粒体が存在し、これが風袋内に収容される。その結果、供給停止後も風袋内に粉粒体が収容されるので、風袋内の粉粒体重量が下限値をかなり超えることがある。風袋に予め定めた重量の粉粒体を収容する場合、予め定めた重量に非常に近い重量とすることが生産者としては望ましい。このために、例えば下限値よりも小さく切換値を定めておき、切換値に粉粒体の供給量が到達していない間には、多色ＬＥＤを赤で点滅し、切換値を粉粒体の供給量が超えたとき、多色ＬＥＤを赤で点灯させ、この点灯に多色ＬＥＤが変化したときから粉粒体の供給流量を徐々に減少させ、多色ＬＥＤが青色に点灯したときに、供給を停止することが考えられる。この場合、供給を停止したときの供給流量は減少しているので、供給停止後に風袋内に収容される粉粒体の重量が少なくなり、比較的予め定めた重量に近い重量の粉粒体を風袋内に収容することができる。しかし、これでも青色が点灯したときに供給を停止するので、下限値よりも多くの粉粒体が容器に収容される点は改善できない。この点は、粉粒体以外の被計量物品においても、計量皿上に順次増加させて供給して計量する場合に生じる。
【０００５】
本発明は、被計量物品の供給停止の適切なタイミングを視覚的に作業員に知らせることができる計量器及び充填計量方法を提供することを目的とする。
【課題を解決するための手段】
【０００６】
本発明の一態様の計量器は、載台を有し、載台に載荷される被計量物品が手動で順次増加させられる。被計量物品としては、載台への単位時間当たりの供給流量を制御できる粒体、粉体または液体を使用することができるし、載台への単位時間当たりの供給流量を制御不能な個体物、例えば果物や野菜等を使用することもできる。前記載台に載荷された前記被計量物品の重量を表す計量信号を計量手段が生成する。少なくとも２つの異なる色のうち１つの色を表示可能な色表示手段が設けられている。少なくとも２色の表示が１つでできるものをこの色表示手段として使用することもできるし、それぞれが異なる色を表示する少なくとも２つの表示手段を色表示手段として使用することもできる。制御手段は、前記計量信号が前記目標重量よりも小さく定めた少なくとも１つの切換重量を超えると、前記色表示手段を第１の色で点灯及び点滅の一方で表示させる。前記制御手段は、前記目標重量及び前記切換重量との間に前記目標重量との差が前記切換重量との差よりも小さく定めた停止重量を前記計量信号が超えたとき、前記色表示手段を第２の色で点灯または点滅で表示させる。なお、切換重量を異なる値で複数設定することもできる。また、前記計量信号が少なくとも１つの切換重量を超える前には、第１の色で点灯及び点滅の他方で表示させることもできるし、第１及び第２の色と異な色で点灯または点滅させることもできる。
【０００７】
このように構成された計量器では、作業員が被計量物品の載台への供給を開始し、載台上の被計量物品の重量は順次増加する。計量信号が切換重量を超えると、色表示手段の表示は第１の色での点灯及び点滅の一方となる。なお、切換重量を超える前、色表示手段での表示は、第１の色での点灯または点滅の他方、または第１及び第２の色と異なる色での点灯または点滅である。第１の色での点灯または点滅によって作業員は載台への被計量物品の供給量を今までの供給量よりも少なくする。これによって、載台上の被計量物品の重量は増加を継続するが、増量分は減少する。やがて、計量信号が停止重量を超えると、色表示手段は第２の色で点灯または点滅する。この表示に従って、作業員は、載台上への被計量物品の供給を停止する。供給を停止した後も、既に載台に向かっている被計量物品は載台上に供給されるので、載台上の被計量物品は増加し、計量信号も増加する。この計量信号が目標重量を超えると、色表示手段の表示は第３の色での点灯または点滅となる。停止重量は、切換重量との差よりも目標重量との差が小さく設定されているので、目標重量に近い重量となり、この目標重量に近い停止重量を計量信号が超えた時点で、増量分を減少させた供給量から供給停止することによって、目標重量を大きく超えた被計量物品が載台上に供給されることなく、ほぼ目標重量の被計量物品を載台上に供給しやすくなる。即ち、供給停止とするタイミングを作業員が把握することができるので、ほぼ目標重量の被計量物品を載台上に供給しやすくなる。
【０００８】
上記の態様の計量器において、前記載台の上方に複数の充填手段を配置することができる。複数の充填手段は、前記載台への前記被計量物品の載荷を前記載台上の風袋への被充填物品の充填として作業員の操作によって行うもので、それぞれの充填量が異なる。この場合、色表示手段は、前記第１の色の表示後、前記充填量が少なくなるように前記複数の充填手段の操作を指示する。例えば充填量が大きい充填手段と小さい充填手段との２台の充填手段を使用する場合、第１の色の表示前は、両方の充填手段で充填を行い、表示後には小さい充填量の充填手段で充填を行う。前記第２の色の点灯または点滅は、前記複数の充填手段の停止を指示する。このように被計量物品の供給に充填手段を使用している場合には、充填手段が載台の上方にあり、充填手段を停止した後も、落差分の被計量物品の充填が行われるので、第２の色の点灯または点滅の効果は顕著である。また、水道の蛇口のように、バルブを閉じるにつれて被計量物の供給が減少するような場合でも、第２の色の点灯または点滅の効果が顕著である。
【０００９】
更に、前記作業員の前記複数の充填手段全ての停止のタイミングの習性に応じて、前記停止重量を修正する修正手段を設けることもできる。第２の色の点灯または点滅時に充填手段による充填を停止するとしても、作業員の習性によって停止のタイミングは異なる。例えば第２の色の点灯または点滅後に遅れて停止させる作業員もいれば、第２の色の点灯または点滅前に見込みで停止させる作業員もいる。そのため最終的に風袋に充填される被計量物品の重量は作業員によって異なる。風袋に充填される被計量物品の重量は、どの作業員が行っても目標重量に非常に近いことが望ましい。そこで、作業員ごとに作業員の習性を、例えば統計的に把握して、充填手段の停止が遅い作業員の場合には停止重量を本来の値よりも小さな値に修正手段によって修正し、充填手段の停止を第２の色の点灯または点滅前に行う作業員の場合には停止重量を本来の値よりも大きな値に修正手段によって修正し、どの作業員が充填作業を行っても、風袋に充填される被計量物品の重量を目標重量に近づけるようにする。
【００１０】
本発明の他の態様の充填計量方法では、計量器の載台の上方に配置され、充填量がそれぞれ異なる複数の充填手段から、前記計量器の載台上の風袋に手動操作によって充填される被計量物品の重量を前記計量器の計量手段によって計量する。前記計量信号が前記目標重量よりも小さく定めた少なくとも１つの切換重量を超える前後で、前記色表示手段が第１の色で点灯から点滅または点滅から点灯に変化するのに従って、前記複数の充填手段からの充填量を順次少なくする。前記目標重量及び前記切換重量との間に前記目標重量との差が前記切換重量との差よりも小さく定めた停止重量を前記計量信号が超えたとき、前記色表示手段の第２の色での点灯または点滅に従って前記複数の充填手段を停止させる。
【００１１】
この充填計量方法では、第２の色での点灯または点滅によって、既に充填量を減少させている充填手段を停止させるので、落差分を簡単に減少させることができ、目標重量を大きく超えた被計量物品が載台上の風袋に充填されることなく、ほぼ目標重量の被計量物品を風袋に充填しやすくなる。
【発明の効果】
【００１２】
以上のように、本発明によれば、被計量物品の供給停止の適切なタイミングを視覚的に作業員に知らせることができる。
【図面の簡単な説明】
【００１３】
【図１】本発明の１実施形態の計量器のブロック図と概略構成図である。
【図２】図１の計量器の制御部が行う制御のフローチャートである。
【図３】図1の計量器の充填波形図である。
【図４】図１の計量器の停止重量の修正の説明図である。
【図５】図１の計量器の変形例における充填波形図である。
【発明を実施するための形態】
【００１４】
本発明の１実施形態の計量器は、図１（ｂ）に示すような台秤であって、載台２を有している。載台２は、ベース４内に配置された計量手段、例えば同図（ａ）に示す重量センサ６によって支持されている。載台２上には、例えば容器または袋のような風袋８が配置される。この風袋８よりも上方に位置するように載台２の上方に容器、例えばタンク１０が配置され、その内部には、例えば粉体、粒体または液体のような流動物が収容されている。タンク１０には、複数の充填手段、例えば２つのバルブ１２、１４が設けられている。バルブ１２は、単位時間当たりの流動物の流量が大きい大バルブで、バルブ１４は、単位時間当たりの流動物の流量が、バルブ１２よりも小さい小バルブである。これらバルブ１２、１４は、作業員が手動操作することによって、流動物を風袋８に異なった流量で供給することができる。例えば大バルブ１２及び小バルブ１４の両方を開いて、大流量で流動物を風袋８に充填したり、小バブル１４のみによって小流量で風袋８に充填したりする。なお、大バルブ１２及び小バルブ１４を共に閉じても、その時点で既に大バルブ１２や小バルブ１４から風袋８に向かって落下している流動物は、風袋８に落差分として供給される。この台秤は、上述した大バルブ１２及び小バルブ１４を作業員が手動操作して、予め定めた目標重量、例えば下限重量ｗＬの流動物を風袋８内に充填するために使用される。
【００１５】
風袋８に供給された流動物の重量は、重量センサ６によって検出され、その重量を表す計量信号は、図１（ａ）に示すように制御部１６に供給される。制御部１６には、操作手段、例えば操作部１８と、表示手段、例えば表示部２０とが設けられている。表示部２０は、大バルブ１２、小バルブ１４の操作によって流動物が風袋８内に充填されている最中には、例えば風袋８内に充填されている流動物の重量を制御部１６からの指示に従って表示する。また、このような充填作業が行われる前に、操作部１８の操作によって設定される種々の設定値が、その設定時に表示部２０に制御部１６によって表示される。
【００１６】
設定値としては、図３に示すように、例えば上述した大バルブ１２及び小バルブ１４両方からの充填から、大バルブ１２を閉じて小バルブ１４のみによる充填へ切り換える切換重量ｗ１と、小バルブ１４のみによる充填から充填停止に切り替える停止重量ｗ２と、上述した下限重量ｗＬとが、ある。これら設定値は、作業員が操作部１８を操作することによって任意に制御部１６に設定される。図３から明らかなように下限重量ｗＬよりも切換重量ｗ１は小さく、停止重量ｗ２は、下限重量ｗＬと切換重量ｗ１との間にあり、下限重量ｗＬとの差が、切換重量ｗ１との差よりも小さい。即ち、下限重量ｗＬに近い値に停止重量ｗ２は設定されており、特に、上述した落差分を想定し、この落差分だけ下限重量ｗＬから減算した値に設定されている。
【００１７】
風袋８内の流動物の充填重量がどのような状況にあるかを表示するために、少なくとも３つの色表示手段、例えば発色が異なる３つの表示灯、具体的にはＬＥＤ２２、２４、２６を有する色表示部２８が制御部１８に接続されている。ＬＥＤ２２は、第３の色、例えば青色を表示可能なもので、下限重量ｗＬ以上の流動物が風袋８に充填されたときに青色で点灯するように制御部１６によって制御される。ＬＥＤ２４は、第１の色、例えば赤色で表示可能なもので、切換重量ｗ１よりも風袋８内の充填重量が小さい場合には赤色で点滅し、風袋８内の充填重量が切換重量ｗ１を超えた場合には、赤色で点灯するように、制御部１６によって制御される。ＬＥＤ２６は、第２の色、例えば緑色で表示可能なもので、風袋８内の充填重量が停止重量ｗ２を超えた場合に緑色で点灯するように、制御部１６によって制御される。
【００１８】
なお、図１（ｂ）に示すように、操作部１８、表示部２０及び色表示部２８は、操作表示部３０に設けられ、この操作表示部３０は、支柱３２を介してベース４に支持されている。制御部１６はベース４内または操作表示部３０内に設けられている。
【００１９】
制御部１６は、図２のフローチャートに示すように、重量センサ６によって得られた風袋８内の流動物の充填重量に従って各ＬＥＤ２２、２４、２６を制御する。即ち、制御部１６は、所定のサンプリング期間が経過するごとに、内蔵するＡ／Ｄ変換器によって重量センサ６からの計量信号をデジタル化してデジタル計量値を得て、このデジタル計量値から予め定めた風袋８のデジタル重量値を減算して、即ち風袋引きを行って、風袋８内に現在充填されている流動物のデジタル充填重量（以下、充填重量Ｗと称する。）を得る。この充填重量Ｗが得られるごとに、図２のフローチャートで示す処理を実行する。
【００２０】
まず、充填重量Ｗが予め定めた切換重量ｗ１よりも小さいか制御部１６が判断する(ステップＳ２)。この判断の答えがイエスの場合、赤色のＬＥＤ２４を点滅させ(ステップＳ４)、この処理を終了する。ステップＳ２の判断の答えがノーの場合、制御部１６は、充填重量Ｗが切換重量ｗ１以上であって、停止重量ｗ２より小さいか判断する(ステップＳ６)。この判断の答えがイエスの場合、制御部１６は、赤色のＬＥＤ２４を点灯させ(ステップＳ８)、この処理を終了する。ステップＳ６の判断の答えがノーの場合、制御部１６は、充填重量Ｗが停止重量ｗ２以上であって、下限値ｗＬよりも小さいか判断する(ステップＳ１０)。この判断の答えがイエスの場合、制御部１６は緑色のＬＥＤ２６を点灯させ(ステップＳ１２)、この処理を終了する。ステップＳ１０の判断の答えがノーの場合、制御部１６は、青色のＬＥＤ２２を点灯させ(ステップＳ１４)、この処理を終了する。
【００２１】
このようにＬＥＤ２２、２４、２６を制御部１６が制御するので、このＬＥＤ２２、２４、２６の表示に従って、次のように作業員は、大バルブ１２、小バルブ１４を操作することができる。充填開始時には、大バルブ１２、小バルブ１４を開く。このとき、図３に示すように最も大きい流量で流動物が風袋８に充填され、赤色のＬＥＤ２４が点滅している。やがて、充填重量Ｗが切換重量ｗ１以上となると、赤色のＬＥＤ２４は点滅から点灯に変化するので、これを見て作業員は大バルブ１２を閉じて、小バルブ１４のみで充填を継続する。これによって流動物の流量が減少した状態で、充填が継続される。そして、充填重量Ｗが停止重量ｗ２以上になると、緑色のＬＥＤ２６が点灯するので、これを見て作業員は小バルブ１４を閉じる。これによって大バルブ１２、小バルブ１４が共に閉じられ、落差分の流動物が風袋８に充填され、充填重量Ｗが下限値ｗＬ以上になると、青色のＬＥＤ２２が点灯する。これによって下限値ｗＬに非常に近い重量の流動物が風袋８に充填される。
【００２２】
このように、下限重量ｗＬより小さく、かつ近い値に停止重量ｗ２を設定し、この停止重量ｗ２を充填重量Ｗが超えると、緑色のＬＥＤ２６が点灯することにより、小バルブ１４を閉じることを指示しているので、充填重量Ｗが下限重量ｗＬを超えた時に小バルブ１４を閉じる場合よりも最終的に風袋８に充填される流動物の重量を下限重量ｗＬに近づけることができる。
【００２３】
大バルブ１２、小バルブ１４は共に手動によって開閉されるので、緑色のＬＥＤ２６の点灯と同時に小バルブ１４を閉じることはできず、例えば図４（ａ）に示すように実際には時間遅れｔが生じる。この時間遅れｔの経過後、落差時間ｔｄの間に落差分Ｗｄの流動物が風袋８に充填される。落差時間ｔｄ、落差分Ｗｄが一定であるとしても、時間遅れｔは作業員の習性によって異なり、短い作業員もいれば長い作業員もいる。同図（ａ）に示すように時間遅れｔが長い作業員の場合、最終的に風袋８に充填される流動物の重量は下限重量ｗＬをかなり超えたものとなる。
【００２４】
そこで、特定の作業員が例えば何回か試験的に各ＬＥＤ２２、２４、２６の表示の変化に従う充填を繰り返し、最終的な充填重量Ｗと下限重量ｗＬとの差の平均値または中央値を求め、この平均値または中央値だけ停止重量ｗ２から減算した修正停止重量ｗ２を決定し、操作部１８を操作して、この修正停止重量ｗ２を制御部１６に設定する。このように操作部１８は、修正手段としても機能する。このように停止重量ｗ２を修正すると、特定の作業員がバルブ１２、１４を操作する場合、その作業員の習性に応じて、図４（ｂ）に示すように、緑色のＬＥＤ２６が点灯するタイミングが速くなり、特定の作業員が、その修正に応じたタイミングで小バルブ１４を閉じても、下限重量ｗＬに非常に近い重量の流動物を風袋８に充填することができる。この停止重量ｗ２の修正は、作業員ごとに行うことが望ましい。また、見込みで緑色のＬＥＤ２６が点灯する前に小バルブ１４を閉じる作業員もある。この場合、上記と同様にして、下限重量ｗＬを大きく修正すればよい。
【００２５】
たとえば、停止重量ｗ２が１９．９５であり、下限重量ｗＬが２０．００であるときに、下限重量ｗＬの５目量多い２０．０５となったときに小バルブを閉じることの多い作業者向きには、最終的な充填重量Ｗである２０．０５から、下限重量である２０．００を減算して得た値である０．０５を、停止重量ｗ２である１９．９５から減算して、通常の停止重量ｗ２より０．０５だけ速い１９．９０を、修正停止重量ｗ２として設定する。
【００２６】
逆に、図示はしていないが、下限重量ｗＬ及び停止重量ｗ２の条件が同じである場合に、最終的な充填重量Ｗが下限重量ｗＬに満たない場合、たとえば、下限重量ｗＬの１目量手前の１９．９９で小バルブを閉じることの多い作業者向きには、最終的な充填重量Ｗである１９．９９を、下限重量ｗＬである２０．００から減算して得た値である０．０１を、停止重量ｗ２である１９．９５に増加して、通常の停止重量ｗ２より０．０１だけ遅い１９．９６を、修正停止重量ｗ２として設定する。
【００２７】
以上のように、停止重量ｗ２になったことを確認してから小バルブを閉じるのに要する時間が速いか遅いかといった作業者の習性に応じて、下限重量ｗＬに非常に近い量の充填が可能となる。
【００２８】
上記の実施形態では、台秤に本発明を実施したが、他の計量器に本発明を実施することもできる。また、上記の実施形態では、大小バルブ１２、１４を備えたタンク１０によって風袋８に流動物を充填したが、バルブ１２、１４を使用せずに、風袋８に充填することもでき、例えばタンク１０に開閉ゲートを設置し、その開口度を変化させる。また、被計量物品として流動物を使用したが、これに限ったものでなく、非流動の固形物を順次風袋８に載荷することもできる。
【００２９】
上記の実施形態では、充填重量Ｗが切換重量ｗ１よりも小さいときに赤色のＬＥＤ２４を点滅させて、充填重量Ｗが切換重量ｗ１を超えたとき赤色のＬＥＤ２４を点灯させたが、逆に充填重量Ｗが切換重量ｗ１よりも小さいときに赤色のＬＥＤ２４を点灯させて、充填重量Ｗが切換重量ｗ１を超えたとき赤色のＬＥＤ２４を点滅させてもよい。或いは、充填重量Ｗが切換重量を超えるまで、赤、青及び緑以外の色のＬＥＤを別途設け、これを点灯または点滅させてもよい。また充填重量Ｗが停止重量ｗ２を超えたとき緑色のＬＥＤ２６を点灯させたが、点滅させてもよいし、充填重量Ｗが下限重量ｗＬを超えたとき青色のＬＥＤ２２を点灯させたが、点滅させてもよい。また、充填重量Ｗが停止重量ｗ２を超えたとき緑色のＬＥＤ２６を点灯させ、下限重量ｗＬを超えたとき青色のＬＥＤ２２を点灯させたが、逆に充填重量Ｗが停止重量ｗ２を超えたとき青色のＬＥＤ２２を点灯させ、下限重量ｗＬを超えたとき緑色のＬＥＤ２６を点灯させてもよい。３つのＬＥＤ２２、２４、２６を使用したが、これらに代えて１つのＬＥＤで異なる色で発光可能な多色ＬＥＤを１つだけ使用することもできる。また、各ＬＥＤ２２、２４、２６が発光する色は、青、赤、緑としたが、それぞれの発光色が異なる３つのＬＥＤを使用することもできるし、ＬＥＤ以外の発光素子を使用することもできる。
【００３０】
上記の実施形態では、切換重量を１つだけ設けたが、例えば図５に示すように、切換重量ｗ１の他に、ｗ１よりも小さい切換重量ｗ１１を設け、充填重量Ｗが新たな切換重量ｗ１１より小さいときには赤のＬＥＤ２４を点滅させて、大バルブ１２、小バルブ１４を共に開とすることを指示し、充填重量Ｗが切換重量ｗ１１とｗ１との間にあるときには赤のＬＥＤ２４を点灯させて、大バルブ１２を開、小バルブ１４を閉とすることを指示し、充填重量Ｗが切換重量ｗ１と停止重量ｗ２との間にあるときには緑色のＬＥＤ２６を点滅させて、大バルブ１２を閉、小バルブ１４を開とすることを指示し、充填重量Ｗが停止重量ｗ２と下限重量ｗＬとの間にあるときには、緑色のＬＥＤ２６を点灯させて、大バルブ１２、小バルブ１４を共に閉とすることを指示し、充填重量Ｗが下限重量ｗＬを超えると、青色のＬＥＤ２２を点灯させて、下限重量ｗＬを超える充填重量Ｗの流動物が風袋８に充填されたことを報知するように制御部１６を構成することもできる。さらに、緑色のＬＥＤ２６の点滅に代えて、赤、青及び緑以外の色のＬＥＤを新たに追加して、これを点灯させることもできる。また、大バルブ１２、小バルブ１４以外に、これらの中間の流量の中バルブを新たに設けて、充填重量Ｗが切換重量ｗ１１より小さいとき、大バルブ１２のみで充填し、充填重量Ｗが切換重量ｗ１１とｗ１との間にあるとき、中バルブのみで充填し、充填重量Ｗが切換重量ｗ１と停止重量ｗ２との間にあるとき、小バルブ１４のみで充填し、充填重量Ｗが停止重量ｗ２を超えると、小バルブ１４を閉じるようにすることもできる。即ち、バルブの設置数は大小の２台に限ったものではない。
【符号の説明】
【００３１】
２  載台
６  計量センサ（計量手段）
１２  １４  バルブ（充填手段）
１６  制御部（制御手段）
１８  操作部（操作手段）
２４  ２６、２８  ＬＥＤ（色表示手段）
【図１】
2018155532.tif 000003
【図２】
2018155532.tif 000004
【図３】
2018155532.tif 000005
【図４】
2018155532.tif 000006
【図５】
2018155532.tif 000007